(57)【要約】  少なくとも部分的に可撓性のベースプレート部分と、屋根設置支持体の形状部分を包囲し、確実に固定するように構成されている、ベースプレート部分から突出する、実質的に硬質の形状部分とを含む、屋根設置支持体用の固定器具、特にソーラーテクノロジーシステム用の支持体のための固定器具。【選択図】図１
2015537133.tif 000002
【特許請求の範囲】
【請求項１】
屋根設置支持体のための固定器具であって、少なくとも部分的に可撓性であるベースプレート部分（３）と、礎前記ベースプレート部分から突出し、前記屋根設置支持体の形状部分（７ａ、７ｂ）を包囲して確実に固定するよう構築されている、実質的に硬質の形状部分（５）とを含む屋根設置支持体のための固定器具、特にソーラーテクノロジーシステム用の屋根設置支持体のための固定器具。
【請求項２】
前記ベースプレート部分（３）が、形状部分がそこから突出する帯状の第一部分領域（３ａ）と、前記第一部分領域から長手側に拡張した領域として延在し、かつ前記第一部分領域よりも可撓性である第二部分領域（３ｂ）とを有している、請求項１に記載の固定器具であって、好ましくは前記ベースプレート部分（３）が、前記第一部分領域の端部から前記第二部分領域と反対方向に延在している第３及び第４の部分領域（３ｃ、３ｄ）を有している、請求項１に記載の固定器具。
【請求項３】
前記形状部分（５）が「Ｕ」字であり、前記「Ｕ」は、前記ベースプレート部分に向けて開口しており、それにより設置された状態において取り囲まれる前記屋根設置支持体（７）の形状部分（７ａ，７ｂ）は、前記ベースプレート部分と前記固定器具の前記形状部分との間に収容され、かつ前記「Ｕ」は、十分な幅のスロットによって前記ベースプレート部分から離れている、開放された第一の柄部（５ａ）を有しており、前記屋根設置支持体の前記形状部分は、前記固定器具の前記形状部分に前記スロットを通じて横に挿入することができる、請求項１又は２に記載の固定器具であって、好ましくは「Ｕ」の第二の柄部は、前記ベースプレート部分に、固く連結され、特に一体となって連結されており、さらに好ましくは前記ベースプレート部分の前記第一の部分領域の長手範囲に横断して延びる補剛リブが、前記形状部分（５）と前記ベースプレート部分との間のスロート部に、前記「Ｕ」字の第二の柄部（５ｂ）がベースプレート部分（３）に連結されている領域で、形成されている、請求項１又は２に記載の固定器具。
【請求項４】
一体として構成されており、特に射出成形部品として一体として構成されており、かつ／又は単一の材料で製造されている、請求項１〜３のいずれか一項に記載の固定器具。
【請求項５】
前記可撓性のベースプレート部分（３）のための第一の材料要素、及び前記実質的に硬質な形状部分（５）のための第二の材料要素から製造されている、請求項４に記載の固定器具。
【請求項６】
少なくともベースプレート部分（３）が、熱融着可能な材料、特にＰＶＣ若しくはＴＰＯ、又は接着性の材料から製造されている、請求項１〜５のいずれか一項に記載の固定器具。
【請求項７】
前記ベースプレート部分（３）の角領域が弧状に丸められた、請求項１〜６のいずれか一項に記載の固定器具。
【請求項８】
前記形状部分の１つの長さが、前記形状部分の長手方向に垂直な方向の最大の範囲の少なくとも３倍、好ましくは少なくとも５倍であり、かつ／又は前記形状が一定の材料厚さを有する、請求項１〜７のいずれか一項に記載の固定器具。
【請求項９】
前記形状部分の材料の厚さが前記ベースプレート部分の厚さよりも大きく、かつ／又は前記形状部分の材料の弾性係数が、前記ベースプレート部分の弾性係数よりも大きい、請求項１〜８のいずれか一項に記載の固定器具。
【請求項１０】
前記形状部分の高さが、前記形状部分の幅よりも大きい、請求項４〜９のいずれか一項に記載の固定器具。
【請求項１１】
少なくとも一つの屋根設置支持体（７）と、請求項１〜１０のいずれか一項に記載の固定器具（１）とを有する屋根設置システム、特にソーラーテクノロジーシステム用の屋根設置システム。
【請求項１２】
前記屋根設置支持体（７）が、２つの長手側と、２つの端面側を有している、長手方向に延在している基体を有しており、かつ前記固定器具（１）は、前記屋根設置システムの少なくとも一つの長手側で取り付けるように構成されている、請求項１１に記載の屋根設置システム。
【請求項１３】
屋根設置支持体（７）ごとに、２つ以上の固定器具（１）、特に４つの固定器具（１）を具備する、請求項１１又は１２に記載の屋根設置システム。
【請求項１４】
少なくとも一つの第一の固定器具、及び少なくとも一つの第一の固定器具とは別個の少なくとも一つの第二の固定器具を具備し、前記第一の固定器具が、前記屋根設置支持体の第一の長手方向端部に取り付けられるように与えられており、かつ第二の固定器具が、屋根設置支持体の第二の長手方向端部に取り付けられるように与えられている、請求項１３に記載される屋根設置システム。
【請求項１５】
請求項４に記載の少なくとも一つの第一の固定器具及び少なくとも一つの第二の固定器具を具備し、前記「Ｕ」の開口部が、互いに面している、請求項１４に基づく屋根設置システム。
【発明の詳細な説明】
【技術分野】
【０００１】
本発明は、屋根設置支持体の固定器具、特にソーラーテクノロジープラント用の支持体のための固定器具に関する。さらに本発明は、屋根設置システム、特にソーラーテクノロジーシステム用の屋根設置システムに関する。
【背景技術】
【０００２】
ソーラーテクノロジーシステム、例えば光起電装置及びソーラーコレクターは、補助設置手段による屋根葺の貫通を可能な限り避けるように設計された、特別な屋根設置システムを使用して、家の屋根に設置される。
【０００３】
特に、プラスチックシールウェブ（ＫＤＢ）によってシールが構成されている陸屋根においては、支持体及び固定手段によって屋根のシールが貫通するのを避けることが重要である。特許文献１は、屋根設置システムのための支持体を開示しており、その支持体は、可撓性の固定帯状体によって、融着又は接着固定によって、これを貫通することなく、プラスチックシートウェブに接続することができる。
【０００４】
屋根設置支持体用の固定器具は、特許文献２から知られており、これはピンが導入されるベースプレートを具備し、ピンはベースプレートを貫通する。全体的にみると、特許文献２による構造は、比較的複雑であり、これは相応にコストが掛かる製造に繋がる。ベースプレートが角度付部材（ａｎｇｕｌａｒ  ｗｅｂ）と一体となるように設計及び構築された、１部品のホルダーが特許文献３から知られている。対応するねじと連携するねじ穴が、実際の固定のために備えられている。それゆえ、角度付部材は導入部位として働くに過ぎず、実際の固定はねじ連結により達成される。結果として、この解決方法も比較的複雑であり、高い生産コスト及び設置コストに繋がる。
【先行技術文献】
【特許文献】
【０００５】
【特許文献１】欧州特許出願公開第２４１８４３８号明細書
【特許文献２】国際公開第２０１２／００４５４２号
【特許文献３】独国実用新案第２０２０１０００５５３１号明細書
【発明の概要】
【発明が解決しようとする課題】
【０００６】
本発明の目的は、高い強度及び信頼性を有し、経済的に製造でき、そして設置することができる、屋根設置支持体のための改良した固定器具、及びこれに対応して改良した屋根設置システムを提供することにある。
【課題を解決するための手段】
【０００７】
この目的は、請求項１の特徴を有する固定器具、及び請求項１１の特徴を有する屋根設置システムによって達成される。本発明の概念の、有利なさらなる発展形態は、各従属項の主題である。
【０００８】
本発明の１つの概念は、機能、及び重要な機械的特性の見地から、区別されて定義される２つの部分を有する固定器具を構成することに本質を有する。一方では、基礎に接続するためのベースプレート部分が与えられ、このベースプレート部分は、（わずかに）平らではない基礎に適合するために、十分に大きい表面と、一定の可撓性とを有する。他方では、固定される支持体の形状部分を確実に固定するための（比較的）硬質の部分が与えられる。さらに、この発明は、硬質の部分を形状部分として構築する概念も含み、この形状部分は、追加の固定手段を用いずに、例えばねじを用いずに、屋根設置支持体の形状部分を包囲し、そしてしっかりと固定するために幾何的に構築される。特に、この固定器具は、形状部分を包囲する、正確な部分を有する。「形状部分」とは、所与の断面（例えば、Ｃ形、Ｕ形、Ｔ形、Ｌ形、Ｉ形断面であり、又はその断面を含む）を有する、構成要素に延長された部分を意味する。特に、このような形状部分の材料の厚さは一様である。
【０００９】
本発明の１つの実施態様では、ベースプレート部分は、形状部分がそこから突き出る帯状に延びる第一の部分領域と、第一の部分領域から長手側に、拡張された部分として延在している第二の部分領域を有しており、上記第二の部分領域は、第一の部分区間と比較して、可撓性である。本発明の他の１つの実施態様では、ベースプレート部分は、第一の部分領域の端部から、第二の部分領域とは反対側に延在している、第三及び第四の部分領域を有する。両方の実施態様ともに、固定器具の十分に大きな基礎表面を作るのに役立ち、これは固定器具に固定される形状支持部分の両側において、有利な方法で基礎上に支えることを特に確実にするであろう。
【００１０】
他の１つの実施態様では、形状部分は、「Ｕ」字であり、「Ｕ」はベースプレート部分側に向かって開口しており、これにより設置された状態で包囲される、屋根設置支持体の形状部分は、固定器具のベースプレート部分と形状部分との間に収容される。
この場合、「Ｕ」が、十分な幅のスロットによってベースプレート部分から離れた、開放した第一の柄部を有しており、屋根設置支持体の形状部分を、長手方向の延長部分に平行な軸について、それを傾けることによって、そのスロットを通じて、固定器具の形状部分に横方向に導入することができる。
【００１１】
１つの実施態様においては、「Ｕ」の第二の柄部は、ベースプレート部分と硬く接続されており、特に一体になって硬く接続されている。さらに、設計の観点から、ベースプレート部分の第一部分領域の長手範囲に横断して延びる補剛リブが、「Ｕ」の第二の柄部がベースプレート部分とつながっている場所の、形状部分とベースプレート部分との間のスロート部に、形成されている。全体的にみると、好ましくはこのように構築されたこの固定器具の構成は、基礎に固定された支持体の、十分な剛性と安定した配置とを確実にすると同時に、十分に容易な設置と基礎への耐久性のある固定とを確実にする。
【００１２】
製造の実施態様において、この固定器具は、一体として製造され、特に射出成形品として製造される。この場合においては、統合された材料の構造物を提供できるが、代わりとして、可撓性のベースプレート部分用の第一の材料要素と、（実質的に）硬質な形状部分用の第二の材料要素からなる構造物を提供することもできる。
【００１３】
現在想定されている最も重要な使用の範囲としては、ベースプレート部分が、熱融着可能な材料、特にＰＶＣ若しくはＴＰＯ又は接着性材料から作られる。固定器具が使用されるプラスチックシールウェブが典型的にはＰＶＣ又はＴＰＯ（ＦＰＯとも呼ばれる）からなるという事実を考慮している。しかし、いわゆる液体フィルムも可能な基礎として考えられる。
【００１４】
形状部分の一つの長さは、形状部分の長手方向に垂直な方向の最大延長部分よりも、好ましくは（平均で）少なくとも３倍、好ましくは少なくとも５倍がよい。結果として、この固定器具は、特に信頼性のある固定を創出することができる。代替的に又は付加的に、形状部分は、一様な材料厚さを有することができる。結果として、その形状部分は、特に簡単な方法で製造することが可能であり、それにもかかわらず安定した接続を確保することができる。
【００１５】
形状部分の材料の厚さは、ベースプレート部分の材料の厚さよりも、（平均で）好ましくは大きい（少なくとも１．２倍又は少なくとも１．５倍大きい）。代替的又は付加的に、形状部分の弾性係数は、（平均で）ベースプレート部分の材料の弾性係数よりも高くてもよい（少なくとも１．２倍又は少なくとも１．５倍又は少なくとも２倍高くてもよい）。これらの手段の結果として、ベースプレート部分と比較した形状部分の向上した固さは、簡単な方法により達成できる。
【００１６】
好ましい実施態様では、形状部分の（平均の）高さは、形状部分の（平均の）幅よりも大きい（好ましくは少なくとも１．５倍、より好ましくは少なくとも２倍、さらに好ましくは少なくとも３倍）。この高さの方向は、ベースプレート部分の表面に垂直である。幅の方向は、形状部分の延長により提供される長手方向及び高さの方向と垂直である。結果として、屋根設置支持体の長手端部を、形状部分に特に確実に収容することができ、ここでベースプレート部分及び形状部分によって、異なる度合いの硬さを相乗的に利用することができる。全体的にみると、信頼性のある固定は単純な方法により達成することができる。形状部分が「Ｕ」の形状部分（上述の通りの）である場合、「Ｕ」の第一の柄部の向かい側にある第二の柄部は、その２つの柄部の間にある接続部よりも大きくてもよく、特に少なくとも１．５倍、好ましくは少なくとも２倍、さらに好ましくは少なくとも３倍であってよい。（上述の通りに）Ｕ字構造の形状部分である場合には、形状部分の高さは、第一の柄部の向かい側にある第二の柄部により定義される。幅は、この２つの柄部の間にある接続部により定義される。
【００１７】
提案されているこの屋根設置システムの実施態様においては、１つ又は複数の屋根設置支持体は、２つの長手側及び２つの端面側を有する長手方向に伸長している基体を具備しており、固定器具は、この屋根設置支持体の少なくとも１つの長手側を取り付けるように構成される。基礎上での支えのために、その底部に２つの形状体がある市販の支持体については、このシステムに適合するために、２つ以上、特に４つの固定器具が与えられる。
【００１８】
屋根設置システムの好ましい実施態様としては、前記システムは、少なくとも１つの第一の固定器具、及び（第一の固定器具とは別個の）少なくとも１つの第二の固定器具を具備し、第一の固定器具は、屋根設置支持体の第一の長手側を取り付けるために与えられ、第二の固定器具は、屋根設置支持体の第二の長手側を取り付けるために用意されている。加えて、（少なくとも）２つの第一の固定器具と、（少なくとも）２つの第二の固定器具とが好ましくは与えられる。それゆえ、本発明の概括的な概念によれば、（それぞれの）屋根設置支持体に関連する複数の（別個の）固定器具が、屋根設置支持体システム中で与えられる。結果として、可撓性のベースプレート部分と比較的に硬質の形状部分とを組み合わせることにより、平らではない基礎であったとしても、屋根設置支持体の信頼性のある固定を相乗的に達成できる。
【００１９】
少なくとも１つの第一の固定器具と少なくとも１つの第二の固定器具が与えられるのが好ましく、ここでその固定器具は、「Ｕ」字形状部分を有しており、第一及び第二の固定器具の「Ｕ」の開口は、互いに向かい合っている。このような構造体は、屋根設置支持体の固定を促進する。特に、別個の固定器具を、（固定前に）互いに対して動かすことができ、かつ／又は互いに傾けることができる点を利用し、それにより屋根設置支持体の長手側を、（傾けることによって）その形状部分に導入することができる。これは、例えば、固定部分がお互いに対して固定されるように構築されている場合、実現することができない。
【００２０】
本発明の利点及び使用は、一部で図を参照した例示的な実施態様及び態様の以下の記載からも生じる。
【図面の簡単な説明】
【００２１】
【図１】図１は、本件発明の実施態様による固定器具の斜視図である。
【図２】図２は、図１による固定器具を複数備える、屋根設置システムの屋根支持体の斜視図である。
【発明を実施するための形態】
【００２２】
図１は、光起電装置のためのルーフキャリアの固定器具（１）の斜視図であり、この固定器具は、一体射出成形した部品として製造され、一定の可撓性を有する実質的に平坦なベースプレート部分（３）と、ベースプレート部分から上向きに突出している、硬質な形状部分（５）とを具備する。ベースプレート部分は、形状部分（５）が突出している中央部からの帯状の第１の部分領域（３ａ）と、その場所から長手側に拡張部分として延在している第２の部分領域（３ｂ）を有する。他の２つの拡張部分領域（３ｃ、３ｄ）は、対向した側で、第一の部分領域（３ａ）の端部から延在している。２つの補剛リブ（３ｅ、３ｆ）は、帯状の第一の部分領域（３ａ）の２つの長手端部付近に形成され、長手端部と平行に延びている。
【００２３】
形状部分（５）は、第一の補剛リブ（３ｅ）から上方に突出しており、断面が狭い「Ｕ」字を有している。この「Ｕ」は、ベースプレート部分（３）側に向かって開口しており、屋根設置支持体の形状部分は、固定器具の形状と、その幾何的形状について適合し、ベースプレート部分と形状部分（５）との間に押入され、そして収容されて、形状部分によって連結して固定される。それ故に、Ｕ字形状部（５）は、開放されている第１の柄部と、ベースプレート部分に接続されている第２の柄部を有している。ベースプレート部分（３）と向かい合って後者を追加的に補助し、また形状部分（５）の第２の柄部（５ｂ）上の補剛リブ（５ｃ）は、ベースプレート部分（３）と向かい合って追加的に形状部分（５）を支持し、形状部分とベースプレート部分との接続を強固にする。これは、図１では示されていないが、図２において認識できる（この点に関しては下記を参照）。
【００２４】
図２は、屋根設置システムの支持体（７）に取り付けられている、図１及び上記に示される様式の４つの固定器具を示している。支持体（７）は、２つの形状部分（７ａ，７ｂ）からなる底部と、底部に対して傾斜し、使用時には上部に光起電モジュールが設置される上部（７ｃ）とを含む。この支持体の正確な構造は、本発明の構成において重要ではないが、しかしながら、固定器具（１）の形状部分（５）は、支持体（７）の形状部分（７ａ，７ｂ）に適合し、その結果図２に示されるようにその形状部分に係合し、支持体の形状部分を取り囲んで、固定器具のベースプレート部分（３）上に、（他の追加の固定要素を用いることなく）これだけで支持体を確実に保持する。固定具は、その部分に関して、下にあるプラスチックウェブに融着され、又は（液体フィルムの場合には）接着して固定されるため、固定器具は支持体を確実に屋根葺に固定することができる。
【００２５】
さらに、拡張部分（３ｃ、３ｄ）は、固定器具の屋根表面上の支持表面を拡大するのみでなく、支持体形状部（７ａ、７ｂ）の端部のための基礎を形成し、その端部が屋根葺に対して損傷を与えることを防止していることは明らかである。固定器具のベースプレート部分の全ての角にある円弧は、同様の目的に役立つ。
【００２６】
本発明の実施は、上記で論じた例及び態様に限定されず、当業者の知識の範囲内である複数の修正形態で可能である。
【符号の説明】
【００２７】
１    固定器具
３    ベースプレート部分
３ａ，３ｂ，３ｃ，３ｄ    ベースプレート部分の部分領域
３ｅ，３ｆ    補剛リブ
５    固定器具の形状部分
５ａ，５ｂ    形状部分の柄部
５ｃ    補剛リブ
７    屋根設置支持体
７ａ，７ｂ    屋根設置支持体の形状部分
７ｃ    上部
【図１】
2015537133.tif 000003
【図２】
2015537133.tif 000004
【手続補正書】
【提出日】平成27年7月2日(2015.7.2)
【手続補正１】
【補正対象書類名】明細書
【補正対象項目名】０００７
【補正方法】変更
【補正の内容】
【０００７】
この目的は、以下の態様１の特徴を有する固定器具、及び以下の態様１１の特徴を有する屋根設置システムによって達成される。本発明の概念の、有利なさらなる発展形態は、各従属項の主題である。
本発明の実施態様としては以下の態様を挙げることができる：
《態様１》
屋根設置支持体のための固定器具であって、少なくとも部分的に可撓性であるベースプレート部分（３）と、礎前記ベースプレート部分から突出し、前記屋根設置支持体の形状部分（７ａ、７ｂ）を包囲して確実に固定するよう構築されている、実質的に硬質の形状部分（５）とを含む屋根設置支持体のための固定器具、特にソーラーテクノロジーシステム用の屋根設置支持体のための固定器具。
《態様２》
前記ベースプレート部分（３）が、形状部分がそこから突出する帯状の第一部分領域（３ａ）と、前記第一部分領域から長手側に拡張した領域として延在し、かつ前記第一部分領域よりも可撓性である第二部分領域（３ｂ）とを有している、態様１に記載の固定器具であって、好ましくは前記ベースプレート部分（３）が、前記第一部分領域の端部から前記第二部分領域と反対方向に延在している第３及び第４の部分領域（３ｃ、３ｄ）を有している、態様１に記載の固定器具。
《態様３》
前記形状部分（５）が「Ｕ」字であり、前記「Ｕ」は、前記ベースプレート部分に向けて開口しており、それにより設置された状態において取り囲まれる前記屋根設置支持体（７）の形状部分（７ａ，７ｂ）は、前記ベースプレート部分と前記固定器具の前記形状部分との間に収容され、かつ前記「Ｕ」は、十分な幅のスロットによって前記ベースプレート部分から離れている、開放された第一の柄部（５ａ）を有しており、前記屋根設置支持体の前記形状部分は、前記固定器具の前記形状部分に前記スロットを通じて横に挿入することができる、態様１又は２に記載の固定器具であって、好ましくは「Ｕ」の第二の柄部は、前記ベースプレート部分に、固く連結され、特に一体となって連結されており、さらに好ましくは前記ベースプレート部分の前記第一の部分領域の長手範囲に横断して延びる補剛リブが、前記形状部分（５）と前記ベースプレート部分との間のスロート部に、前記「Ｕ」字の第二の柄部（５ｂ）がベースプレート部分（３）に連結されている領域で、形成されている、態様１又は２に記載の固定器具。
《態様４》
一体として構成されており、特に射出成形部品として一体として構成されており、かつ／又は単一の材料で製造されている、態様１〜３のいずれか一項に記載の固定器具。
《態様５》
前記可撓性のベースプレート部分（３）のための第一の材料要素、及び前記実質的に硬質な形状部分（５）のための第二の材料要素から製造されている、態様４に記載の固定器具。
《態様６》
少なくともベースプレート部分（３）が、熱融着可能な材料、特にＰＶＣ若しくはＴＰＯ、又は接着性の材料から製造されている、態様１〜５のいずれか一項に記載の固定器具。
《態様７》
前記ベースプレート部分（３）の角領域が弧状に丸められた、態様１〜６のいずれか一項に記載の固定器具。
《態様８》
前記形状部分の１つの長さが、前記形状部分の長手方向に垂直な方向の最大の範囲の少なくとも３倍、好ましくは少なくとも５倍であり、かつ／又は前記形状が一定の材料厚さを有する、態様１〜７のいずれか一項に記載の固定器具。
《態様９》
前記形状部分の材料の厚さが前記ベースプレート部分の厚さよりも大きく、かつ／又は前記形状部分の材料の弾性係数が、前記ベースプレート部分の弾性係数よりも大きい、態様１〜８のいずれか一項に記載の固定器具。
《態様１０》
前記形状部分の高さが、前記形状部分の幅よりも大きい、態様４〜９のいずれか一項に記載の固定器具。
《態様１１》
少なくとも一つの屋根設置支持体（７）と、態様１〜１０のいずれか一項に記載の固定器具（１）とを有する屋根設置システム、特にソーラーテクノロジーシステム用の屋根設置システム。
《態様１２》
前記屋根設置支持体（７）が、２つの長手側と、２つの端面側を有している、長手方向に延在している基体を有しており、かつ前記固定器具（１）は、前記屋根設置システムの少なくとも一つの長手側で取り付けるように構成されている、態様１１に記載の屋根設置システム。
《態様１３》
屋根設置支持体（７）ごとに、２つ以上の固定器具（１）、特に４つの固定器具（１）を具備する、態様１１又は１２に記載の屋根設置システム。
《態様１４》
少なくとも一つの第一の固定器具、及び少なくとも一つの第一の固定器具とは別個の少なくとも一つの第二の固定器具を具備し、前記第一の固定器具が、前記屋根設置支持体の第一の長手方向端部に取り付けられるように与えられており、かつ第二の固定器具が、屋根設置支持体の第二の長手方向端部に取り付けられるように与えられている、態様１３に記載される屋根設置システム。
《態様１５》
態様４に記載の少なくとも一つの第一の固定器具及び少なくとも一つの第二の固定器具を具備し、前記「Ｕ」の開口部が、互いに面している、態様１４に基づく屋根設置システム。
【手続補正２】
【補正対象書類名】特許請求の範囲
【補正対象項目名】全文
【補正方法】変更
【補正の内容】
【特許請求の範囲】
【請求項１】
屋根設置支持体のための固定器具であって、少なくとも部分的に可撓性であるベースプレート部分（３）と、前記ベースプレート部分から突出し、前記屋根設置支持体の形状部分（７ａ、７ｂ）を包囲して確実に固定するよう構築されている、実質的に硬質の形状部分（５）とを含む屋根設置支持体のための固定器具。
【請求項２】
前記ベースプレート部分（３）が、形状部分がそこから突出する帯状の第一部分領域（３ａ）と、前記第一部分領域から長手側に拡張した領域として延在し、かつ前記第一部分領域よりも可撓性である第二部分領域（３ｂ）とを有している、請求項１に記載の固定器具。
【請求項３】
前記ベースプレート部分（３）が、前記第一部分領域の端部から前記第二部分領域と反対方向に延在している第３及び第４の部分領域（３ｃ、３ｄ）を有している、請求項２に記載の固定器具。
【請求項４】
前記形状部分（５）が「Ｕ」字であり、前記「Ｕ」は、前記ベースプレート部分に向けて開口しており、それにより設置された状態において取り囲まれる前記屋根設置支持体（７）の形状部分（７ａ，７ｂ）は、前記ベースプレート部分と前記固定器具の前記形状部分との間に収容され、かつ前記「Ｕ」は、十分な幅のスロットによって前記ベースプレート部分から離れている、開放された第一の柄部（５ａ）を有しており、前記屋根設置支持体の前記形状部分は、前記固定器具の前記形状部分に前記スロットを通じて横に挿入することができる、請求項１又は２に記載の固定器具。
【請求項５】
「Ｕ」の第二の柄部は、前記ベースプレート部分に、固く連結されており、さらに前記ベースプレート部分の前記第一の部分領域の長手範囲に横断して延びる補剛リブが、前記形状部分（５）と前記ベースプレート部分との間のスロート部に、前記「Ｕ」字の第二の柄部（５ｂ）がベースプレート部分（３）に連結されている領域で、形成されている、請求項４に記載の固定器具。
【請求項６】
一体として構成されており、かつ／又は単一の材料で製造されている、請求項１〜５のいずれか一項に記載の固定器具。
【請求項７】
前記可撓性のベースプレート部分（３）のための第一の材料要素、及び前記実質的に硬質な形状部分（５）のための第二の材料要素から製造されている、請求項６に記載の固定器具。
【請求項８】
少なくともベースプレート部分（３）が、熱融着可能な材料又は接着性の材料から製造されている、請求項１〜７のいずれか一項に記載の固定器具。
【請求項９】
前記ベースプレート部分（３）の角領域が弧状に丸められた、請求項１〜８のいずれか一項に記載の固定器具。
【請求項１０】
前記形状部分の１つの長さが、前記形状部分の長手方向に垂直な方向の最大の範囲の少なくとも３倍であり、かつ／又は前記形状が一定の材料厚さを有する、請求項１〜９のいずれか一項に記載の固定器具。
【請求項１１】
前記形状部分の材料の厚さが前記ベースプレート部分の厚さよりも大きく、かつ／又は前記形状部分の材料の弾性係数が、前記ベースプレート部分の弾性係数よりも大きい、請求項１〜１０のいずれか一項に記載の固定器具。
【請求項１２】
前記形状部分の高さが、前記形状部分の幅よりも大きい、請求項６〜１１のいずれか一項に記載の固定器具。
【請求項１３】
少なくとも一つの屋根設置支持体（７）と、請求項１〜１２のいずれか一項に記載の固定器具（１）とを有する屋根設置システム。
【請求項１４】
前記屋根設置支持体（７）が、２つの長手側と２つの端面側とを有している、長手方向に延在している基体を有しており、かつ前記固定器具（１）は、前記屋根設置システムの少なくとも１つの長手側で取り付けるように構成されている、請求項１３に記載の屋根設置システム。
【請求項１５】
屋根設置支持体（７）ごとに、２つ以上の固定器具（１）を具備する、請求項１３又は１４に記載の屋根設置システム。
【請求項１６】
少なくとも１つの第一の固定器具、及び少なくとも１つの第一の固定器具とは別個の少なくとも１つの第二の固定器具を具備し、前記第一の固定器具が、前記屋根設置支持体の第一の長手方向端部に取り付けられるように与えられており、かつ第二の固定器具が、屋根設置支持体の第二の長手方向端部に取り付けられるように与えられている、請求項１５に記載される屋根設置システム。
【請求項１７】
請求項６に記載の少なくとも１つの第一の固定器具及び請求項６に記載の少なくとも一つの第二の固定器具を具備し、前記「Ｕ」の開口部が、互いに面している、請求項１６に基づく屋根設置システム。
【国際調査報告】
2015537133.tif 000005
2015537133.tif 000006
2015537133.tif 000007
2015537133.tif 000008
2015537133.tif 000009
2015537133.tif 000010